(57)【特許請求の範囲】
【請求項１】
温度等の設定を変更する設定変更手段と、設定が変更された事を報知する内容を音声で記憶した音声データ記憶部と、スピーカーと、前記音声データ記憶部の音声データを前記スピーカーに出力させる音声出力制御部とを備え、前記設定変更手段による設定変更を音声ガイドするリモコン装置に於いて、前記設定変更手段が操作されたかを判別する操作判別部と、この操作判別部の操作開始の検出信号によって、操作開始前の設定値を記憶する第１記憶部と、前記設定変更手段が操作される都度、初期化され所定時間の非操作時間をカウントする設定タイマと、この設定タイマのカウントアップで現時点の設定値を記憶する第２記憶部と、前記第１記憶部と第２記憶部との記憶された設定値を比較する比較手段とを備え、前記比較手段による設定値の比較で差がある時のみ、前記設定変更の音声ガイドを行わせるようにし、更に前記比較手段による設定値の比較で差が所定値以上の場合は、音声ガイドの内容を変更する事を特徴とするリモコン装置。
【発明の詳細な説明】
【０００１】
【発明の属する技術分野】
本発明は、給湯機や暖房ボイラーなどの燃焼機器に用いられるリモコン装置に関するものである。
【０００２】
【従来の技術】
従来よりこの種の給湯機や暖房ボイラーなどの燃焼機器に用いられるリモコン装置に於いては、例えば特開２０００−３４６４４３号公報に開示されているように、設定変更手段の操作により変更された設定値を音声で報知することで、目の不自由な人やシャンプー等で手探りでしか操作できない状態の人でも安心して設定を変更し、お湯を快適に使用することができるようにしたものであった。
【０００３】
【発明が解決しようとする課題】
しかし、この従来のものでは、設定変更と音声報知との間に時間的余裕がないので、設定変更手段で一度設定を変更した後、設定値を音声で報知される前に間違いに気づき慌てて元に戻しても、音声報知されてしまい、使用者にとっては使いづらく信頼性に欠け、安心して使用出来ないものであった。
【０００４】
【課題を解決するための手段】
この発明はこの点に着目し上記課題を解決するため、特にその構成を、温度等の設定を変更する設定変更手段と、設定が変更された事を報知する内容を音声で記憶した音声データ記憶部と、スピーカーと、前記音声データ記憶部の音声データを前記スピーカーに出力させる音声出力制御部とを備え、前記設定変更手段による設定変更を音声ガイドするリモコン装置に於いて、前記設定変更手段が操作されたかを判別する操作判別部と、この操作判別部の操作開始の検出信号によって、操作開始前の設定値を記憶する第１記憶部と、前記設定変更手段が操作される都度、初期化され所定時間の非操作時間をカウントする設定タイマと、この設定タイマのカウントアップで現時点の設定値を記憶する第２記憶部と、前記第１記憶部と第２記憶部との記憶された設定値を比較する比較手段とを備え、前記比較手段による設定値の比較で差がある時のみ、前記設定変更の音声ガイドを行わせるようにし、更に前記比較手段による設定値の比較で差が所定値以上の場合は、音声ガイドの内容を変更するようにしたものである。
【０００５】
又比較手段による設定値の比較で差が所定値以上の場合は、音声ガイドの内容を変更するようにすれば、設定が大きく変更されたことによる注意を喚起することが出来るものである。
【０００６】
【発明の実施の形態】
次にこの発明を追い焚き機能付き給湯機に適用した一実施例を図面に基づいて説明する。
【０００７】
１は気化式石油給湯機本体で、２はマイクロコンピュータより構成されこの給湯機本体の制御を行う本体側制御装置で、燃焼および湯温を制御するため種々のセンサおよびアクチュエータが接続されている。
【０００８】
３は燃油である石油を噴霧して供給する噴霧ノズル、４は燃焼用の空気を供給する燃焼ファン、５は燃油を気化する気化器、６は気化器５を燃油が気化可能な温度まで加熱する気化ヒータ、７は気化器５の温度を検知する気化温度センサ、８は燃油の気化ガスと燃焼用空気の混合ガスを燃焼させるバーナ部、９はバーナ部８から噴出する混合ガスに放電点火する点火手段、１０は燃焼を検知する燃焼検知手段である。
【０００９】
１１は水道(図示せず)からの水を給湯熱交換器１２を介して加熱し給湯栓１３から給湯する給湯回路、１４は給湯熱交換器１２に流入する水の流量を検知する流量センサ、１５は給湯出口側に設けられた給湯温度センサで、給湯栓１３が開けられ最低作動流量以上の流水を流量センサ１４が検知するとバーナ部８の燃焼を開始し、設定温度の湯を給湯するものである。
【００１０】
１６は浴槽１７内の湯または水を風呂熱交換器１８で加熱し再び浴槽１７に供給する風呂回路、１９は浴槽水を循環させる循環ポンプ、２０は風呂回路１６内の浴槽水の循環の有無を検知する流水スイッチ、２１は循環する浴槽水の温度を検知する風呂温度センサで、循環ポンプ１９を駆動して流水スイッチ２０が流水を検知するとバーナ部８の燃焼を開始し、浴槽１７内の湯または水を設定温度まで加熱するものである。
【００１１】
２２は給湯温度センサ１５後の給湯回路１１から分岐し、風呂回路１６に三方弁２３を介して接続された湯張り回路で、給湯側から電磁弁２４、湯張りフローセンサ２５、ホッパー２６、逆止弁２７が順に備えられ、給湯回路１１を利用して浴槽１７への設定量、設定温度の湯張り及び足し湯、足し水等を行うものである。
【００１２】
２８は本体側制御装置２とそれぞれの通信制御部２９ａ、２９ｂを介して２線通信方式で接続された給湯機のリモコン装置で、マイクロコンピュータより構成されたリモコン側制御装置３０には、その入力側にキーマトリクス型の多数の操作スイッチが接続されていると共に、出力側に文字や図形を点の集合で自在に表すドットマトリクス型表示器３１のドライバ３２と、音声出力制御部３３を介してスピーカー３４のアンプ３５とが接続されている。
【００１３】
前記リモコン装置２８の複数の操作スイッチとして、気化器５を燃油が気化可能で燃焼開始可能な予熱状態でスタンバイさせる電源スイッチ３６と、設定量の湯を浴槽１７に自動給湯するお湯張り運転スイッチ３７と、浴槽１７内の湯または水を設定温度まで加熱して一定時間保温状態にする保温運転スイッチ３８と、設定量で設定温度のお湯を浴槽１７に足し湯すると共に、設定量の設定も行う足し湯スイッチ３９と、現在時刻やタイマー時刻を設定するための複数の時刻設定スイッチ４０と、湯の設定温度を変更する複数の温度設定スイッチ４１とが設けられているものである。
【００１４】
又前記した温度設定スイッチ４１が設定変更手段を構成するものであり、給湯設定温度を高温に１度ずつ或いは数度ずつ変更するアップスイッチ４１ａと、同じく給湯設定温度を低温に１度ずつ或いは数度ずつ変更するダウンスイッチ４１ｂとを有している。
【００１５】
前記リモコン側制御装置２８には、温度設定スイッチ４１が操作されたかを判別する操作判別部４２と、少なくとも前記温度設定スイッチ４１に対応した運転モードの内容及び、設定データとして予め設定された複数の給湯温度をドットの集合である文字データとして記憶した文字データ記憶部４３と、温度設定スイッチ４１の押圧に対応し文字データ記憶部４３に記憶された文字データを列または行単位で前記ドライバ３２へ送り前記ドットマトリクス型表示器３１に表示させる文字表示制御部４４とが設けられているものである。
【００１６】
前記操作判別部４２には、温度設定スイッチ４１の操作が検出されると操作前の設定値を記憶する第１記憶部４５と、温度設定スイッチ４１が操作される都度、初期化され１秒の非操作時間をカウントし、１秒後にカウントアップ信号を出力する設定タイマ４６と、この設定タイマ４６のカウントアップ信号を受け、現時点の設定値を記憶する第２記憶部４７と、前記第１記憶部４５と第２記憶部４７の記憶された設定値を比較する比較手段４８とが備えられており、この比較手段４８による設定値の比較で差がある時、及びこの差が所定値である６０℃以上の時に、出力信号を音声出力制御部３３に送るものである。
【００１７】
更に音声出力制御部３３は音声合成ＩＣで構成され、比較手段４８からの差に応じた２種類の出力信号に対応した、設定温度が変更された事を報知する内容を別々の音声で記憶した音声データ記憶部４９を備えており、前記比較手段４８からの出力信号を受け、差が６０℃以上ない時は「給湯温度が変更されました」と言う音声ガイドを行わせ、６０℃以上の時は「あついお湯がてます」と言う音声ガイドを行わせるものである。
【００１８】
更に前記音声出力制御部３３は、操作スイッチが押圧された際に「ピッ」という操作確認音を出力するものである。
【００１９】
次に、この発明一実施例の作動について図３に示すフローチャートに従って説明する。
今、温度設定スイッチ４１のアップスイッチ４１ａ又はダウンスイッチ４１ｂのどちらかが押圧されると、先ずステップ５０で操作判別部４２からの出力によって、第１記憶部４５に操作される前の給湯温度設定Ｔを記憶させる。
【００２０】
次にステップ５１に進み給湯温度設定変更即ち、ドットマトリクス型表示器３１に表示されている給湯温度表示が１度加算又は減算され、更に発信音「ビッ」が発信され受付が確認されると共に、設定タイマ４６が１秒のカウントをスタートさせる。
【００２１】
更にステップ５２に進み再び温度設定スイッチ４１が操作されるかを判断し、操作されたＹＥＳではステップ５３に進み、更に給湯温度設定変更及び発信音「ビッ」、それに設定タイマ４６のカウントをクリアした後、再度カウントをスタートさせるものである。
【００２２】
又ＮＯではステップ５４に進み設定タイマ４６が１秒のカウントアップをするかを待ち、ＹＥＳ即ち１秒のカウントアップを設定変更操作の終了と判断してステップ５５に進み、第２記憶部４７に現時点の給湯温度設定Ｋを記憶させる。
【００２３】
そして次にステップ５６に進んで、比較手段４８で第１記憶部４５に記憶された設定温度Ｔと、第２記憶部４７に記憶された設定温度Ｋとに差があるかを「＝」で確認し、ＹＥＳ即ち同じく変更されてない時には音声ガイドは行わずステップ５７で終了となり、従来のように間違って設定を一旦変更し直ぐに元に戻しても音声ガイドされることはないものである。
【００２４】
又変更されていて同じでない時はＮＯではステップ５８に進み、変更後の設定温度Ｋが所定値の６０℃以上かどうかを判断し、６０℃以上でない時はＮＯでステップ５９に進み、音声出力制御部３３より設定が変更された事を報知する内容の音声データを出力させ、アンプ３５を介してスピーカー３４から「給湯温度が変更されました」の音声ガイドが行われるものである。
【００２５】
又６０℃以上のＹＥＳではステップ６０に進み、同様にして「あついお湯がでます」の注意喚起の音声ガイドが行われるものであり、更にこの後は給湯設定温度が確定したので、このデータを通信制御部２３ａ、２３ｂを介して本体側制御装置２に送りこの温度に応じて給湯の制御が行われるものである。
【００２６】
従って、設定の変更を一旦確認しの後、確かに変更が行われている時のみ音声ガイドで、設定が変更された事を使用者に報知するので、誤操作による間違った報知がなく、的確で信頼感があり安心して使用出来るものであり、又６０℃以上の変更では、高温で危険であることを違った音声ガイドでガイドするので、より注意喚起作用があり危険を防止する事が出来るものである。
【００２７】
尚、この実施例では、給湯温度設定を例に取り説明したが、これに限定されることなく、例えば風呂温度設定や風呂湯量設定でも良いことは勿論である。
【００２８】
【発明の効果】
以上のようにこの発明によれば、設定変更前の設定値と設定変更後の設定値とを比較して、差がある時のみ音声ガイドするようにしたので、確実に設定が変更された時だけ音声ガイドされ、従来のように間違って設定を変更し慌てて元に戻した時には、音声ガイドは行われず、使用勝手が良く信頼感があり安心して使用出来るものである。
【００２９】
更に所定以上の差がある時には、注意を喚起する音声ガイドに変更することで、危険状態の回避が容易に行われ安心して使用することが出来るものである。
【図面の簡単な説明】
【図１】この発明一実施例を示す給湯機の概略構成図。
【図２】同本体側制御装置とリモコン側制御装置のブロック図。
【図３】同作動を説明するフローチャート。
【符号の説明】
２８  リモコン装置
３３  音声出力制御部
３４  スピーカー
４１  温度設定スイッチ（設定変更手段）
４２  操作判別部
４５  第１記憶部
４６  設定タイマ
４７  第２記憶部
４８  比較手段
【図１】
0003913478.tif 000002
【図２】
0003913478.tif 000003
【図３】
0003913478.tif 000004